(57)【要約】【課題】ワイアレスパケットデータサービス接続において複数のサービスレベル品質を提供する方法及び装置【解決手段】複数のパイロットデータアプリケーションのそれぞれにより生成されたパケットは、ラジオリンクプロトコル（ＲＬＰ）接続を経由して送信するために適したバイトストリームにデータパケットを変換するために、１個のポイントツーポイントプロトコル（ＰＰＰ）スタック（２０２）及び１個の高水準データリンク制御（ＨＤＲＬＣ）フレーミングレイヤ（２０４）に供給される。そして、結果としての多数のバイトストリームの各々は、異なる再送信及び遅延特性（２０６及び２０８）を有する多数のＲＬＰ接続の一つに供給される。各アプリケーションからデータを送信するために選択されたＲＬＰ接続は、そのアプリケーションに最適なサービスグレードに基づいている。受信機において、複数のＲＬＰ接続（２１８及び２１６）からのデータは、１個のＰＰＰスタック（２１０）に供給される。【選択図】図２
2004531122.tif 000002
【特許請求の範囲】
【請求項１】
パケットデータサービスを提供する方法を実現するコンピュータ読み取り可能なメディアであって、その方法は、下記を具備する、
移動局とワイアレスネットワークとの間の通信のために単一のポイントツーポイントプロトコル（ＰＰＰ）レイヤを設置する、
第１のサービスグレードにより特徴付けられた第１の高周波リンクプロトコル（ＲＬＰ）レイヤを使用して上記単一のＰＰＰレイヤを経由してデータを送信し、かつ受信する、及び
第２のサービスグレードにより特徴付けられた第２のＲＬＰレイヤを使用して上記単一のＰＰＰレイヤを経由してデータを送信し、かつ受信する、ここで、第１のサービスグレードは第２のサービスグレードと異なる。
【請求項２】
請求項１のコンピュータ読み取り可能なメディアであって、その方法は、下記をさらに具備する、
第１のサービスグレードに基づいた第１のバッファサイズを有する第１のバッファを設置する、及び
第２のサービスグレードに基づいた第２のバッファサイズを有する第２のバッファを設置する。
【請求項３】
第１のバッファは再送信及び再シーケンシングバッファを含み、第２のバッファは再送信及び再シーケンシングバッファを含まない、請求項２のコンピュータ読み取り可能なメディア。
【請求項４】
請求項１のコンピュータ読み取り可能なメディアであって、その方法は、上記ＰＰＰレイヤと上記第１及び第２のＲＬＰレイヤとの間に配置された、単一の高水準データリンク制御（ＨＤＬＣ）レイヤを設置する、をさらに具備する。
【請求項５】
請求項４のコンピュータ読み取り可能なメディアであって、その方法は、ＨＤＬＣフレーム全体を上記ＨＤＬＣレイヤに供給するために、上記ＨＤＬＣレイヤと上記第１のＲＬＰレイヤとの間に配置された、第１のデフレーマレイヤを設置する、をさらに具備する。
【請求項６】
請求項１のコンピュータ読み取り可能なメディアであって、その方法は、下記をさらに具備する、
上記ＰＰＰレイヤと上記第１のＲＬＰレイヤとの間に配置された、第１の高水準データリンク制御（ＨＤＬＣ）レイヤを設置する、及び
上記ＰＰＰレイヤと上記第２のＲＬＰレイヤとの間に配置された、第２の高水準データリンク制御（ＨＤＬＣ）レイヤを設置する。
【請求項７】
パケットデータサービスを提供する方法を具体化するメモリを具備する移動局装置であって、その方法は、下記を具備する、
移動局に関する単一のポイントツーポイントプロトコル（ＰＰＰ）レイヤを設置する、
少なくとも２の異なるサービスグレードにより特徴付けられた少なくとも２のラジオリンクプロトコル（ＲＬＰ）レイヤを使用する上記単一のＰＰＰレイヤを経由してデータを送信し、かつ受信する。
【請求項８】
第１及び第２のＲＬＰレイヤにより生成されたＲＬＰフレームを変調するためのワイアレスモデム、をさらに具備する請求項７の移動局装置。
【請求項９】
第１及び第２のＲＬＰレイヤにより生成されたＲＬＰフレームを変調するためのＣＤＭＡワイアレスモデム、をさらに具備する請求項７の移動局装置。
【請求項１０】
その方法を実行するための制御プロセッサ、をさらに具備する請求項７の移動局装置。
【請求項１１】
異なるサービスグレードが高信頼性サービスグレード及び低待機時間サービスグレードを含む、請求項７の移動局装置。
【請求項１２】
請求項７の移動局装置、ここで、上記方法は、上記少なくとも２のＲＬＰレイヤの各々に対するバッファを設置する、をさらに具備する、ここで、各バッファのサイズが対応するＲＬＰレイヤのサービスグレードに基づく。
【請求項１３】
対応するＲＬＰレイヤが高信頼性の場合に限り、各バッファは再送信及び再シーケンシングバッファを含む、請求項１２の移動局装置。
【請求項１４】
請求項７の移動局装置であって、その方法は、上記ＰＰＰレイヤと上記少なくとも２のＲＬＰレイヤとの間に配置された、単一の高水準データリンク制御（ＨＤＬＣ）レイヤを設置する、をさらに具備する。
【請求項１５】
メモリを具備するパケット制御機能（ＰＣＦ）装置、ここで、メモリは、下記を具備する方法を実現する、
第１のサービスグレードにより特徴付けられた第１のラジオリンクプロトコル（ＲＬＰ）レイヤを設置する、
第１のサービスグレードとは異なる第２のサービスグレードにより特徴付けられた第２のＲＬＰレイヤを設置する、
第１のＲＬＰレイヤを経由して移動局からデータを受信する、及び
第２のＲＬＰレイヤを経由して移動局からデータを受信する。
【請求項１６】
請求項１５のＰＣＦ装置、ここで、その方法は、下記をさらに具備する、
第１の高水準データリンク制御（ＨＤＬＣ）フレームを認識するために第１のＲＬＰレイヤを経由して受信したデータをデフレーミングする、
第２のＨＤＬＣフレームを認識するために第２のＲＬＰレイヤを経由して受信したデータをデフレーミングする、
パケットデータサービングノード（ＰＤＳＮ）に第１のＨＤＬＣフレームを供給する、及び
ＰＤＳＮに第２のＨＤＬＣフレームを供給する。
【請求項１７】
請求項１５のＰＣＦ装置、ここで、その方法は、下記をさらに具備する、
パケットデータサービングノード（ＰＤＳＮ）において第１の高水準データリンク制御（ＨＤＬＣ）レイヤに第１のＲＬＰレイヤを経由して受信したデータを供給する、及び
ＰＤＳＮにおいて第２のＨＤＬＣレイヤに第２のＲＬＰレイヤを経由して受信したデータを供給する。
【請求項１８】
第１のサービスグレードにより特徴付けられた第１のラジオリンクプロトコル（ＲＬＰ）レイヤを設置するため、第１のサービスグレードとは異なる第２のサービスグレードにより特徴付けられた第２のＲＬＰレイヤを設置するため、第１のＲＬＰレイヤを経由して移動局からデータを受信するため、及び第２のＲＬＰレイヤを経由して移動局からデータを受信するためのパケット制御機能（ＰＣＦ）、及び
第１及び第２のＲＬＰレイヤを経由して受信したデータからＩＰパケットを抽出するため、及びＩＰパケットをインターネットに供給するためのパケットデータサービングノード（ＰＤＳＮ）、
を具備するワイアレスネットワーク装置。
【請求項１９】
移動局に接続した単一のポイントツーポイントプロトコル（ＰＰＰ）接続に付随した単一の高水準データリンク制御（ＨＤＬＣ）レイヤを経由して受信したデータからＩＰパケットを抽出するためのパケットデータサービングノード（ＰＤＳＮ）、及び
第１のサービスグレードにより特徴付けられた第１のラジオリンクプロトコル（ＲＬＰ）レイヤを設置するため、第１のサービスグレードとは異なる第２のサービスグレードにより特徴付けられた第２のＲＬＰレイヤを設置するため、第１のＨＤＬＣフレームを認識するために第１のＲＬＰレイヤを経由して受信したデータをデフレーミングするため、第２のＨＤＬＣフレームを認識するために第２のＲＬＰレイヤを経由して受信したデータをデフレーミングするため、単一のＨＤＬＣレイヤに第１のＨＤＬＣフレームを供給するため、及び単一のＨＤＬＣレイヤに第１のＨＤＬＣフレームを供給した後に、単一のＨＤＬＣレイヤに第２のＨＤＬＣフレームを供給するためのパケット制御機能（ＰＣＦ）、
を具備するワイアレスネットワーク装置。
【請求項２０】
移動局とワイアレスネットワークとの間の通信のための単一のポイントツーポイントプロトコル（ＰＰＰ）レイヤを設置する、
少なくとも２のサービスグレードにより特徴付けられた少なくとも２のラジオリンクプロトコル（ＲＬＰ）レイヤを使用する上記単一のＰＰＰレイヤを経由してデータを送信し、かつ受信する、
を具備するパケットデータサービスを提供する方法。
【請求項２１】
請求項２０の方法であって、その方法は、上記少なくとも２のＲＬＰレイヤの各々に対してバッファを設置する、を具備する、ここで、各バッファのサイズが対応するＲＬＰレイヤのサービスグレードに基づく。
【請求項２２】
上記ＰＰＰレイヤと上記少なくとも２のＲＬＰレイヤとの間に配置された、単一の高水準データリンク制御（ＨＤＬＣ）レイヤを設置する、をさらに具備する請求項２０の方法。
【請求項２３】
上記ＨＤＬＣレイヤにＨＤＬＣフレーム全体を供給するために、上記ＨＤＬＣレイヤと上記第１のＲＬＰレイヤとの間に配置された、第１のデフレーマレイヤを設置する、をさらに具備する請求項２０の方法。
【請求項２４】
少なくとも２の高水準データリンク制御（ＨＤＬＣ）レイヤを設置する、ここで、１のＨＤＬＣレイヤは上記ＰＰＰレイヤと上記少なくとも２のＲＬＰレイヤの各々の間に配置される、をさらに具備する請求項２０の方法。
【請求項２５】
移動局において、移動局とワイアレスネットワークとの間の通信のために単一のポイントツーポイントプロトコル（ＰＰＰ）レイヤを設置する、
移動局において、第１のＰＰＰパケットを生成するために遅延に敏感なアプリケーションに付随したＩＰパケットをカプセル化するために単一のＰＰＰレイヤを使用する、
移動局において、第２のＰＰＰパケットを生成するために遅延に鈍感なアプリケーションに付随したＩＰパケットをカプセル化するために単一のＰＰＰレイヤを使用する、
移動局において、ワイアレスネットワークに低待機時間ラジオリンクプロトコル（ＲＬＰ）レイヤを経由して第１のＰＰＰパケットを送信する、及び
移動局において、ワイアレスネットワークに高信頼性ＲＬＰレイヤを経由して第２のＰＰＰパケットを送信する、
を具備するパケットデータサービスを提供する方法。
【請求項２６】
移動局において、第１のＰＰＰパケットを送信する前に移動局においてＨＤＬＣレイヤを使用する第１の高水準データリンク制御（ＨＤＬＣ）フレームに第１のＰＰＰパケットを変換する、及び
移動局において、第２のＰＰＰパケットを送信する前に移動局においてＨＤＬＣレイヤを使用する第２のＨＤＬＣフレームに第２のＰＰＰパケットを変換する、
をさらに具備する請求項２５の方法。
【請求項２７】
パケット制御機能（ＰＣＦ）において、低待機時間ラジオリンクプロトコル（ＲＬＰ）レイヤを経由して移動局から第１のデータバイトセットを受信する、
ＰＣＦにおいて、高信頼性ＲＬＰレイヤを経由して移動局から第２のデータバイトセットを受信する、
パケットデータサービングノード（ＰＤＳＮ）と接続したポイントツーポイントプロトコル（ＰＰＰ）接続を経由してＰＤＳＮに第１のデータバイトセットを供給する、及び
ＰＰＰ接続を経由してＰＤＳＮに第２のデータバイトセットを供給する、
を具備するパケットデータサービスを提供する方法。
【請求項２８】
ＰＰＰレイヤに第１のデータバイトセットを供給する前に、少なくとも１の完全なＨＤＬＣフレームに対応する第１のデータバイトセット中にある第３のデータバイトセットを認識するために第１のデータバイトセット中の１若しくはそれ以上の高水準データリンク制御（ＨＤＬＣ）フラッグキャラクタを使用する、及び
ＰＰＰ接続を経由して連続的にＰＤＳＮに第３のデータバイトセットを供給する、
をさらに具備する請求項２７の方法。
【請求項２９】
ＰＰＰレイヤに第１のデータバイトセットを供給する前に、少なくとも１の完全なＨＤＬＣフレームに対応する第２のデータバイトセット中にある第３のデータバイトセットを認識するために第２のデータバイトセット中の１若しくはそれ以上の高水準データリンク制御（ＨＤＬＣ）フラッグキャラクタを使用する、及び
ＰＰＰ接続を経由して連続的にＰＤＳＮに第３のデータバイトセットを供給する、
をさらに具備する請求項２７の方法。
【請求項３０】
ＰＤＳＮと接続した第１の高水準データリンク制御（ＨＤＬＣ）接続を経由してＰＰＰレイヤに第１のデータバイトセットを供給する、
ＰＤＳＮと接続した第２のＨＤＬＣ接続を経由してＰＰＰレイヤに第２のデータバイトを供給する、
をさらに具備する請求項２７の方法。
【発明の詳細な説明】
【技術分野】
【０００１】
本発明は、ワイアレス通信に係わるものである。さらに詳しくは、本発明は、移動局とワイアレスネットワークとの間のワイアレスデータパケットネットワークにおける複数レベルのサービス品質を提供するための卓越した方法及び装置に係わるものである。
【背景技術】
【０００２】
符号分割多元接続（ＣＤＭＡ）変調技術の使用は、多数のシステムユーザが存在する通信を容易にするいくつかの技術の一つである。時分割多元接続（ＴＤＭＡ）、周波数分割多元接続（ＦＤＭＡ）、及びアンプリチュードコンパンデッドシングルサイドバンド(amplitude companded single sideband)（ＡＣＳＳＢ）のようなＡＭ変調スキーム、のような他の多元接続通信システム技術は、この分野で知られている。これらの技術は、異なる企業により製造された装置間で相互動作を容易にするために標準化されてきている。符号分割多元接続通信システムは、米国におけるテレコミュニケーションインダストリーアソシエーション(Telecommunications Industry Association)（ＴＩＡ）ＴＩＡ／ＥＩＡ／ＩＳ−９５−Ｂ、題名“デュアルモードワイドバンド拡散スペクトルセルラシステムに関する移動局−基地局互換性標準”に標準化されてきており、ここでは、ＩＳ−９５として呼ばれる。さらに、ＣＤＭＡシステムに関する新しい標準は、米国ではＴＩＡにおいて、題名“ｃｄｍａ２０００拡散スペクトルシステムに関する上位レイヤ(layer)（レイヤ３）シグナリング標準、リリースＡ−補遺１”、２０００年１０月２７日付、に提案されており、ここでは、“ｃｄｍａ２０００”として呼ばれる。
【０００３】
インターナショナルテレコミュニケーションユニオン(International Telecommunication Union)は、最近、ワイアレス通信チャネルを通じた高レートデータ及び高品質会話サービスを提供する、提案された方法の提出を要求した。この最初の提案は、ＴＩＡにより発行された、題名“ＩＳ-２０００  ＩＴＵ−Ｒ  ＲＴＴ候補提出(Candidate Submission)”である。第２の提案は、ヨーロピアンテレコミュニケーションスタンダードインスチチュート(European Telecommunication Standards Institute)（ＥＴＳＩ）により発行された、題名“ＥＴＳＩ  ＵＭＴＳ地上ラジオアクセス（ＵＴＲＡ）ＩＴＵ−Ｒ  ＲＴＴ候補提出”であり、“ワイドバンドＣＤＭＡ”として知られ、以降“Ｗ−ＣＤＭＡ”と呼ばれる。第３の提案は、Ｕ．Ｓ．ＴＧ  ８／１により提出された、題名“ＵＷＣ−１３６候補提出”であり、以降“ＥＤＧＥ”と呼ばれる。これらの提出物の内容は、公式の記録であり、この技術分野においてよく知られている。
【０００４】
ＩＳ−９５は、もともと可変レート音声フレームの送信に対して最適化されていた。その後の標準は、パケットデータサービスを含む後から追加された各種の非音声サービスをサポートする標準の上に築かれた。そのようなパケットデータサービスの１つのセットは、米国ではＴＩＡにおいてＴＩＡ／ＥＩＡ／ＩＳ−７０７−Ａ、題名“拡散スペクトルシステムに関するデータサービスオプション”に標準化されている。引用文献として、ここに取り込まれており、以降“ＩＳ−７０７”として呼ばれる。
【０００５】
ＩＳ−９５ワイアレスネットワークを経由してインターネットプロトコル（ＩＰ）パケットを送信するためのサポートを提供するために使用される技術を、ＩＳ−７０７は、説明する。パケットは、ポイントツーポイントプロトコル(Point-to-Point Protocol)（ＰＰＰ）と呼ばれるプロトコルを使用する特徴のないバイトストリーム(byte stream)にカプセル化(encapsulate)される。ＰＰＰを使用して、ＩＰパケットは、任意の大きさのセグメントでワイアレスネットワークを通じて移送できる。ワイアレスネットワークは、ＰＰＰセッションの期間中、若しくは、追加バイトが、ＰＰＰエンドポイント間で連続するバイトストリームに送ることができる限り、ＰＰＰの状態の情報を維持する。
【０００６】
そのような連続するバイトストリームは、ラジオリンクプロトコル(Radio Link Protocol)（ＲＬＰ）と呼ばれるプロトコルを使用したＩＳ−９５フレームのシリーズに、実質的にカプセル化される。ＲＬＰは、ネガティブアクノレッジメント(negative acknowledgements)（ＮＡＫｓ）を使用するエラー制御プロトコル(error control protocol)を含む。ＮＡＫｓにより受信機は、紛失ＲＬＰフレームを再送信することを送信機に知らせる。ＲＬＰエラー制御プロトコルが再送信を使用するため、ＲＬＰデータ送信は、送信機から受信機へ種々の送信遅延を一般に示す。シンクロナスＲＬＰ（ＳＲＬＰ）と呼ばれるＲＬＰの変形された形式は、この技術分野ではよく知られている。ＳＲＬＰでは、ＮＡＫ及び再送信は、送信機若しくは受信機により送信されない。ＳＲＬＰにおけるフレームエラーレートは、ＲＬＰのそれよりも大きいが、送信遅延は、最小の一定値に維持される。
【０００７】
パケットデータを扱えるワイアレス移動局（ＭＳ）に接続されたパーソナル若しくはラップトップコンピュータ（ＰＣ）のような遠隔ネットワークノード(remote network node)は、ＩＳ−７０７標準にしたがってワイアレスネットワークを経由してインターネットにアクセスできる。あるいは、ウェブブラウザのような遠隔ネットワークノードは、ＰＣをオプションとし、ＭＳに組み込まれている。ＭＳは、以下を含む種々の装置のいずれであってもよい。ＰＣカード、パーソナルデータアシスタント（ＰＤＡ）、外付け若しくは内蔵モデム、若しくはワイアレス電話若しくはターミナルであるが、これらに限定されることはない。ＭＳは、データはパケットデータサービングノード(packet data serving node)（ＰＤＳＮ）により処理される、ワイアレスネットワークを経由して、データを送信する。１つのＭＳとワイアレスネットワークとの間の接続に関するＰＰＰ状態は、代表的にはＰＤＳＮ内に保持される。ＰＤＳＮは、インターネットのようなＩＰネットワークに接続されており、ワイアレスネットワークとＩＰネットワークに接続されている他のエンティティ(entities)及びエージェント(agents)との間でデータを移送する。このようにして、ＭＳは、ワイアレスデータ接続を経由してＩＰネットワーク上の他のエンティティにデータを送信し、受信できる。ＩＰネットワーク上の目標エンティティは、対応するノードも呼び出される。ＭＳとＰＤＳＮとの間の相互対話は、２０００年７月付けのＥＩＡ／ＴＩＡ／ＩＳ−８３５、題名“ワイアレスＩＰネットワーク標準”に標準化されてきており、ここでは、“ＩＳ−８３５”として呼ばれる。あるネットワークにおいて、ＰＤＳＮはインターワーキングファンクション(Interworking Function)（ＩＷＦ）で置き代えられることを、この技術分野に知識のある者は、理解するであろう。
【０００８】
より複雑なワイアレスネットワークサービスを提供するために、１個のワイアレス装置を経由して同時に異なったタイプのサービスを提供するという要望及び必要性が増加している。例えば、同時の音声及びパケットデータサービスを含む。また、例えば、同時のウェブブラウジング及びテレビ会議のような、複数の種類のパケットデータサービスも含む。同時に、技術の発展は、ワイアレス装置とワイアレスネットワークとの間で、１個のワイアレスチャネルを経由して利用可能なバンド幅を増加させている。
【０００９】
しかしながら、近年のネットワークは、実質的に異なったサービスグレードを有するパケットデータサービスを同時にサポートできるようには未だ至っていない。例えば、テレビ会議及びＩＰを経由しての音声のような遅延に敏感なアプリケーションは、ネットワークを経由してのパケット遅延の強度及び変動を減少させるために、好ましくはＲＬＰ再送信なしで送られる。一方で、ＦＴＰ、電子メール、及びウェブブラウジングのようなアプリケーションは、遅延に敏感でないため、好ましくはＲＬＰ再送信を使用して送られる。現在のワイアレス標準は、いくつかのサービスグレードのいずれかを必要とするワイアレスアプリケーションを適切にサポートする。しかし、アプリケーションが、異なったサービスグレードを要求する１個のＭＳにおいて、複数のアプリケーションを適切にサポートできない。それゆえ、複数のアプリケーションが、異なったサービスグレードを使用する１個のＭＳにおいて、複数のアプリケーションをサポートする方法に対する技術の必要性がある。
【発明の開示】
【課題を解決するための手段】
【００１０】
ここに開示された実施例は、移動局（ＭＳ）及びラジオアクセスネットワーク(Radio Access Network)（ＲＡＮ）が接続を確立することを可能にすることによって、上記の必要性に対応している。その接続は、ＭＳに割り当てられた１個のＩＰアドレスで複数のサービスグレードをサポートする。ここに開示した実施例は、データの送信機が、複数のパケットデータアプリケーションに対して１個のＩＰアドレスを使用することを可能にする。ラジオリンクプロトコル（ＲＬＰ）接続を経由した送信に適したバイトストリームにデータパケットを変換するために、複数のパケットデータアプリケーションのそれぞれにより生成されたパケットは、１個のポイントツーポイントプロトコル（ＰＰＰ）スタック(stack)及び１個の高水準データリンク制御(High-level Data Link Control)（ＨＤＬＣ）フレーミングレイヤ(framing layer)に供給される。各々の結果としての複数のバイトストリームは、その後、異なった再送信及び遅延特性を有する複数のＲＬＰ接続の１つに供給される。各アプリケーションからデータを送信するために選択されたＲＬＰ接続は、そのアプリケーションに関して最も適切なサービスグレードに基づいている。
【００１１】
受信機は、複数のＲＬＰ接続においてデータを受信し、バイトストリームをフレームに再組み立てする。受信機は、１つのＨＤＬＣフレーミングレイヤが１つのＲＬＰ接続に対応することで、複数のＨＤＬＣフレーミングレイヤを利用できる。あるいは、受信機は、１個のＨＤＬＣフレーミングレイヤ及び複数の簡単な“デフレーマ”レイヤを利用できる。各デフレーマレイヤは、１個のＲＬＰ接続に対応し、各ＲＬＰバイトストリームにおいてＨＤＬＣフレームの範囲を定めるフラッグキャラクタ(flag characters)を探す。デフレーマレイヤは、ＨＤＬＣエスケープコード(escape code)を削除せずに、完結した、連続したＨＤＬＣフレームとして１個のＨＤＬＣレイヤに、むしろＨＤＬＣストリームデータを供給する。
【００１２】
用語“イグゼンプラリ(exemplary)”は、本出願で一貫して“例、実例、若しくは例証として使われる”という意味で使用される。“イグゼンプラリ実施例”として説明されるいかなる実施例も、他の実施例に対して好ましい若しくは優位であると解釈される必要性はない。
【発明を実施するための最良の形態】
【００１３】
［任意の定義部分］
異なるサービスグレードを使用する複数のアプリケーションは、各アプリケーションに対して個別のポイントツーポイントプロトコル（ＰＰＰ）スタックを使用する１個のワイアレス装置においてサポートされるであろう。このアプローチは、いくつかの欠点を持っている。１個の移動局（ＭＳ）に関する複数のＰＰＰインスタンス(instances)をサポートすることは、ＭＳ及びパケットデータサービングノード（ＰＤＳＮ）の両者において大量のデータメモリを不必要に消費するであろう。
【００１４】
さらに、ラジオリンクプロトコル（ＲＬＰ）セッション(session)が、低待機時間を要求するアプリケーションにより使用されるために設置されるならば、ＲＬＰは、再送信なしに動作するように設定されるであろう。これは、そこにあるアプリケーションに関して最善である低待機時間に帰着する一方で、リンク制御プロトコル(Link Control Protocol)（ＬＣＰ）及びＰＰＰリンクを設置する必要がある他の構成のプロトコルは、エラー制御なしに実施されなければならないであろう。その結果としてフレームエラーレートの増加は、いかなるアプリケーションパケットが送られる前に、ＰＰＰ設定に遅延、若しくは失敗さえ引き起こすであろう。
【００１５】
以下で議論される実施例は、ＭＳとワイアレスネットワークとの間の複数のＲＬＰインスタンスに対して、１個のＰＰＰインスタンスを利用することにより、これらの欠点を克服する。図１は、異なった同時に起きるサービスグレードを使用するパケットデータの送信機と受信機との間のプロトコルレイヤの配置を示す。あるイグゼンプラリ実施例では、送信機は、２つのラジオリンクプロトコル（ＲＬＰ）レイヤ（１０６及び１０８）、１つの高水準データリンク制御（ＨＤＬＣ）レイヤ１０４及び１つのポイントツーポイントプロトコル（ＰＰＰ）レイヤ１０２を保持する。ＲＬＰレイヤインスタンスの各々は、異なるサービスグレード（１０６及び１０８）を使用する。例えば、ＲＬＰ１Ｓ１０６が、受信機から受信されたＮＡＫフレームに応答してフレームを再送信するように設定されているならば、ＲＬＰ２Ｓ１０８は、再送信しないように設定される。言い換えれば、ＲＬＰ１Ｓ１０６は、エラー制御プロトコルの使用を介して高い信頼性を提供するが、一方、ＲＬＰ２Ｓ１０８は、一定で最小の遅延で信頼性の低い送信を提供する。ＲＬＰ１Ｓ１０６のように特徴付けられるサービスグレードは、ここでは、短く“高信頼性”として呼ばれる。同様に、ＲＬＰ２Ｓ１０８のように特徴付けられるサービスグレードは、ここでは、短く“低待機時間”として呼ばれる。イグゼンプラリ実施例は、２つのサービスグレードだけを使用するとして、ここでは説明されるが、多数の異なるサービスグレードを使用する実行も予想され、説明された実施例の範囲内であると考えられる。例えば、送信機及び受信機は、“高信頼性”と“低待機時間”との中間に位置する信頼性の程度を有する中間サービスグレードを提供する第３のＲＬＰレイヤを、それぞれ追加して利用することができる。
【００１６】
あるイグゼンプラリ実施例では、受信機は、送信機（１０６及び１０８）におけるＲＬＰインスタンスと同じサービスグレードに対応する２つの受信ＲＬＰインスタンス（１１６及び１１８）も保持する。例えば、ＲＬＰ１Ｓ１０６が高信頼性サービスグレードを提供するならば、その後、ＲＬＰ１Ｒ１１６は、高信頼性サービスグレードのために設定される。このようにして、ＲＬＰ１Ｒ１１６レイヤが、受信したＲＬＰフレームの連続番号に欠落を検出する場合、その後、ＲＬＰ１Ｒ１１６は、迅速に再送信するようにＮＡＫフレームを送信することにより応答する。ＲＬＰ  ＮＡＫフレームを受信すると、ＲＬＰ１Ｓ１０６は、再送信バッファから要求されたフレームを再送信する。一方、ＲＬＰ２Ｓ１０８が、低待機時間サービスグレードに対して設定されているならば、ＲＬＰ２Ｒ１１８は、フレームの連続番号の欠落にかかわらずＮＡＫフレームを送信しない。実際、ＲＬＰ２Ｓ１０８及びＲＬＰ２Ｒ１１８は、データペイロード(data payload)のためにもっと空きを作るために送信されたＲＬＰフレームからフレームの連続番号を完全に削除できる。さらに、ＲＬＰ２Ｓ１０８は、以前に送信したフレームの再送信バッファを維持する必要がない。このようにして、送信機の中のメモリを節約する。ＲＬＰ２Ｒ１１８もまた、再シーケンシングバッファを維持する必要がなく、受信機中のメモリを節約する。
【００１７】
送信機におけるＰＰＰレイヤ１０２は、ＰＰＰフレーム中にＩＰパケットをカプセル化する。あるイグゼンプラリ実施例では、ＰＰＰレイヤ１０２は、よく知られたヴァンヤコブセン(Van Jacobsen)（ＶＪ）ヘッダー圧縮のようなＩＰヘッダー圧縮を実行することによりパケットスループットを増加する。ＶＪヘッダー圧縮は、ある種のヘッダー情報を失う結果となる。そうでなければ、ヘッダー情報は、複数のＲＬＰレイヤ（１０６及び１０８）間でＰＰＰパケットをマルチプレキシングする時に有効である。あるイグゼンプラリ実施例では、ＰＰＰレイヤ１０２は、ＨＤＬＣレイヤ１０４にＰＰＰパケット全体を供給し、どちらのＲＬＰレイヤを経由してフレームデータを送るかを決めるために使用できる情報も提供する。あるイグゼンプラリ実施例では、ＰＰＰレイヤ１０２は、サービスグレードを識別するもの、あるいは、ＨＤＬＣレイヤ１０４に供給された各ＰＰＰパケットでＲＬＰインスタンスを識別するものを供給する。ＨＤＬＣレイヤ１０４は、ＰＰＰパケットの間にフラッグキャラクタを追加し、ＰＰＰレイヤ１０２から受信した各ＰＰＰパケットに周期的な冗長チェックサム(cyclical redundancy checksum)（ＣＲＣ）を追加する。ＨＤＬＣレイヤ１０４は、１個のフレームのデータ中にフラッグ若しくはＨＤＬＣ制御キャラクタが現れないことを確認するために、ＨＤＬＣエスケーピング(escaping)をさらに実行する。ＨＤＬＣレイヤ１０４は、代表的には、少なくとも２キャラクタを有するエスケープシーケンスで各フラッグ若しくは制御キャラクタを置き換えることにより、ＨＤＬＣエスケーピングを実行する。
【００１８】
図１の受信機は、各ＲＬＰインスタンス（１１６及び１１８）に対して別々のＨＤＬＣレイヤで示されている。各ＲＬＰインスタンス（１１６及び１１８）によってＲＬＰフレームにおいて受信されたバイトは、対応するＨＤＬＣレイヤインスタンス（１１２及び１１４）に表わされる。各ＨＤＬＣレイヤインスタンス（１１２及び１１４）は、それぞれの入力データストリームのエスケープシーケンスに位置し、送信されたフレーム中の元のデータに各エスケープシーケンスを変換して戻す。ＨＤＬＣレイヤインスタンス（１１２及び１１４）は、フレームが通信エラーをともなって受信されたか否かを決めるためにフレームにおいて受信されたＣＲＣのチェックを実行する。誤ったＣＲＣを有するフレームは、静かに廃棄され、正しいＣＲＣを有するフレームは、次のプロトコルレイヤアップ（ＰＰＰＲ）１１０に転送される。
【００１９】
図２は、プロトコルレイヤの代わりの配置を示す。図２の送信機におけるプロトコルレイヤの配置は、図１の送信機のそれと同じである。しかしながら、受信機において、１個のＨＤＬＣＲレイヤ２１２が、各ＲＬＰインスタンスに対して１個の代わりに使用される。デフレーマレイヤ（２１４及び２２０）は、ＲＬＰレイヤ（２１８及び２１６）とＨＤＬＣＲレイヤ２１２との間に挿入される。デフレーマ（２１４及び２２０）の目的は、全部のＨＤＬＣフレームだけが、ＨＤＬＣＲレイヤ２１２に送達されたかを確認するためである。全部のＨＤＬＣフレームだけが送達されることは、ＨＤＬＣＲレイヤ２１２が複数のＨＤＬＣフレームからのデータ間で区別する、若しくは再構成することを不必要にする。ＨＤＬＣＲレイヤ２１２は、エスケープシーケンスを削除し、全体のフレームに関してＣＲＣをチェックする。ＣＲＣが正しいと思われるならば、その後、ＨＤＬＣＲレイヤ２１２は、ＰＰＰＲレイヤ２１０に全てのＰＰＰフレームを転送する。ＣＲＣが誤っているならば、ＨＤＬＣＲレイヤ２１２は、静かに誤ったフレームデータを廃棄する。
【００２０】
デフレーマレイヤ（２１４及び２２０）を使用することの一つの利点は、ＨＤＬＣＲレイヤ２１２の実行に対していかなる変更なしにＲＬＰ（２１８及び２１６）の複数のインスタンスを受信機がサポートすることを可能にする。ＨＤＬＣＲレイヤ２１２は、受信されたバイトが、２つの異なるＲＬＰ接続を経由して受信されたかを気にすることさえ不必要である。実行の独立性は、ＨＤＬＣＲプロトコルレイヤ２１２が、ＲＬＰプロトコルレイヤとは異なる物理的な装置に存在するネットワークの実行において、特に重要である。例えば、ＨＤＬＣＲレイヤは、標準パケットルータ中に存在できるし、ＲＬＰレイヤは、ワイアレスネットワークのラジオアクセスネットワーク(Radio Access Network)（ＲＡＮ）中のパケット制御機能(Packet Control Function)（ＰＣＦ）中に存在できる。デフレーマレイヤの使用は、標準パケットルータのソフトウエアを変更せずに複数のＲＬＰレイヤ及びサービスグレードをサポートできるようにする。
【００２１】
図３は、上述したように複数のサービスグレードをサポートするイグゼンプラリ移動局（ＭＳ）を示す。制御プロセッサ３０２は、図示したように、ワイアレスモデム３０４、送信機３０６、及びアンテナ３０８を経由してワイアレス接続を確立する。あるイグゼンプラリ実施例では、ワイアレスモデム３０４及び送信機３０６は、ｃｄｍａ２０００仕様にしたがって動作する。あるいは、ワイアレスモデム３０４及び送信機３０６は、ＩＳ−９５、Ｗ−ＣＤＭＡ、若しくはＥＤＧＥのような他のあるワイアレス標準にしたがって動作できる。
【００２２】
制御プロセッサ３０２は、図１、２に示されたプロトコルレイヤを設置し、利用するために、制御プロセッサ３０２を管理するコード若しくは指示を有するメモリ３１０に接続される。メモリ３１０は、ＲＡＭメモリ、フラッシュメモリ、ＲＯＭメモリ、ＥＰＲＯＭメモリ、ＥＥＰＲＯＭメモリ、レジスタ、ハードディスク、脱着可能なディスク、ＣＤ−ＲＯＭ、若しくは他のいかなる形式の記憶メディア若しくはこの技術分野で知られているコンピュータで読み取り可能なメディアを含むことができる。
【００２３】
あるイグゼンプラリ実施例では、制御プロセッサ３０２は、複数のＲＬＰレイヤの動作に必要なメモリバッファ（３１２及び３１４）として一部のメモリ３１０を使用する。例えば、ＲＬＰ１バッファ３１２が、高信頼性ＲＬＰ接続に対応するならば、送信が予定されているＲＬＰデータのための再送信バッファ及び受信が予定されているＲＬＰデータのための再シーケンシングバッファを含むであろう。ＲＬＰ２バッファ３１４が、低待機時間ＲＬＰ接続に対応するのであれば、それゆえ、ＲＬＰ２バッファ３１４は、再送信バッファ若しくは再シーケンシングバッファのいずれをも持つ必要がない。これらの２つのバッファが必要ないため、ＲＬＰ２バッファ３１４は、ＲＬＰ１バッファ３１２より小さな量のメモリを占有する。ばらばらにして図示したが、あるデータ構造が、複数のＲＬＰの実行の間で共有されるならば、バッファ（３１２及び３１４）も、重複する。
【００２４】
図４は、インターネット４１６のようなパケットネットワークとの接続を有するあるイグゼンプラリワイアレス通信ネットワークを示す。ワイアレス通信ネットワークは、ＲＡＮ４１２及びＰＤＳＮ４１４を含む。ＲＡＮ４１２は、１若しくはそれ以上のワイアレス基地局（図示されていない）に接続されるセレクタ４０２を、さらに含む。ＲＡＮ４１２におけるセレクタ４０２は、一般に、図示されていない基地局コントローラ（ＢＳＣ）のサブシステムである。ＭＳに送られた、若しくはＭＳから受信された全てのワイアレスデータは、セレクタを経由して送られる。セレクタ４０２に加えて、ＲＡＮ４１２は、パケット制御機能（ＰＣＦ）４０４も含む。パケットデータサービスオプションに関して、セレクタは、ＰＣＦ４０４を経由してＭＳから受信されたパケットデータを送信する。ＰＣＦ４０４は、さらに制御プロセッサ４６０及びメモリ４１８を含む。
【００２５】
メモリ４１８は、図１-２に示されたプロトコルレイヤを設置し、利用するために制御プロセッサ４６０を管理するコード若しくは指示を含む。メモリ４１８は、ＲＡＭメモリ、フラッシュメモリ、ＲＯＭメモリ、ＥＰＲＯＭメモリ、ＥＥＰＲＯＭメモリ、レジスタ、ハードディスク、脱着可能なディスク、ＣＤ−ＲＯＭ、若しくはいずれかの他の形式の記憶メディア若しくは本技術分野で知られているコンピュータで読み取り可能なメディアを含むことができる。
【００２６】
あるイグゼンプラリ実施例では、制御プロセッサ４０６は、複数の移動局と確立された種々のＲＬＰ接続のためにメモリ４１８中で複数のバッファ領域（４０８及び４１０）を設置する。あるイグゼンプラリ実施例では、ＲＬＰ１バッファ４０８の１つのプール(pool)は、高信頼性ＲＬＰインスタンスで使用するための再送信及び再シーケンシングバッファを含む。ＲＬＰ２バッファ４１０の他のプールは、低待機時間ＲＬＰインスタンスのために使用され、それゆえ、再送信及び再シーケンシングバッファを含まない。制御プロセッサ４０６は、１個のＭＳに１以上のＲＬＰインスタンスを割り当てることができる。例えば、１個のＲＬＰ１バッファ及び１個のＲＬＰ２バッファは、遅延に敏感なものと遅延に鈍感なアプリケーションの組み合わせを動作させている１個のＭＳに割り当てることができる。
【００２７】
制御プロセッサ４０６は、ＰＤＳＮ４１４にも接続される。あるイグゼンプラリ実施例では、ＭＳがＩＰパケットをパケットネットワーク４１６に送信する場合、制御プロセッサ４０６は、セレクタ４０２からＲＬＰフレームを受信し、ＲＬＰフレームからバイトのストリームを抽出するために付随するＲＬＰバッファ（４０８若しくは４１０）を使用する。その後、バイトは、制御プロセッサ４０６からＰＤＳＮ４１４に送信される。ＰＤＳＮ４１４は、ＨＤＬＣプロトコルにしたがってバイトストリームから完全なＩＰパケット（これらは正しいＣＲＣ値を有する）を抽出する。そして、ＰＤＳＮ４１４は、結果のＩＰパケットをパケットネットワーク４１６に転送する。ＰＤＳＮ４１４が、１個のＭＳに複数のＲＬＰ接続するために１個のＨＤＬＣ接続を維持するならば、その後、ＲＬＰフレームからＰＤＳＮ４１４にバイトを送信する前に、制御プロセッサ４０６は、デフレーミングを実行する。デフレーミングの結果は、ＨＤＬＣフレーム全体がＰＳＤＮ４１４に制御プロセッサ４０６により転送されることである。言い換えれば、１つのＲＬＰリンクでＨＤＬＣフレームからデータが受信されないことが、他のＲＬＰリンクで受信されたＨＤＬＣフレームのからのデータと混ざり合っているであろうことを、制御プロセッサ４０６は確認する。デフレーミングは、既存のＰＤＳＮの使用を可能にすることに加えて、よりよいリソースの使用を認める。既存のＰＤＳＮは、１個のＩＰアドレスに１以上のＰＰＰ／ＨＤＬＣを割り当てられない。
【００２８】
パケットネットワーク４１６が、ＭＳにパケットを送信する場合、パケットは、ＰＤＳＮ４１４において最初に受信される。あるイグゼンプラリ実施例では、ＰＤＳＮ４１４は、ＭＳに宛てられたＩＰデータグラムをＰＰＰパケットにカプセル化し、結果としてのＰＰＰパケットをバイトのストリームに変換するためにＨＤＬＣフレームを使用する。あるイグゼンプラリ実施例では、ＰＤＳＮ４１４は、１個のＭＳに１個のＨＤＬＣインスタンスを割り当て、そのＭＳに宛てられたいずれのＩＰパケットのＨＤＬＣフレーミングを実行するために、そのＨＤＬＣインスタンスを使用する。代わりの実施例では、各ＨＤＬＣインスタンスがＭＳ中の１個のＲＬＰ接続に対応するように、ＰＤＳＮ４１４は、１個のＭＳに割り当てられた複数のＨＤＬＣインスタンスを持つことができる。
【００２９】
ＰＤＳＮ４１４とネットワーク４１６との間の、ＰＤＳＮ４１４と制御プロセッサ４０６との間の、及び制御プロセッサ４０６とセレクタ４０２との間の接続は、イサーネット、Ｔ１、ＡＴＭ、若しくは他のファイバー、有線若しくはワイアレスインターフェースを含む各種のインターフェースのいずれかを使用することができる。あるイグゼンプラリ実施例では、制御プロセッサ４０６とメモリ４１８との間の接続は、一般に、メモリバスのような直接のハードウェア接続であろう。しかし、上記した他のタイプの接続の一つであってもよい。
【００３０】
図５は、異なるサービスグレードを有する複数のＲＬＰ接続を経由してパケットを送信するイグゼンプラリ方法のフローチャートである。あるイグゼンプラリ実施例では、送信装置の制御プロセッサ（図３の３０６若しくは図４の４０６）は、図５により特徴付けられた方法を利用する。ステップ５０２において、送信機は、これから送られるＩＰパケットをＰＰＰパケットにカプセル化する。あるイグゼンプラリ実施例では、ヴァンヤコブセン(Van-Jacobsen)（ＶＪ）ヘッダー圧縮のようなＩＰヘッダー圧縮も、ステップ５０２において実行される。ステップ５０４において、それから、送信機は、ＨＤＬＣプロトコルにしたがってバイトストリームにＰＰＰパケットを変換する。特に、各ＰＰＰパケットは、１個のＨＤＬＣフレームに変換される。１若しくはそれ以上のフラッグキャラクタは、バイトストリームのＨＤＬＣフレームの間に挿入され、及びフラッグと各フレーム中に現れる制御キャラクタは、エスケープシーケンスと置き換えられる。ＨＤＬＣエスケーピングの最も一般的な例は、おそらく、フラッグシーケンスオクテット(flag sequence octet)０×７ｅ（１６進法）を２つのオクテット０×７ｄ  ０×５ｅ（１６進法）で置き換えること、及びオクテット０×７ｄ（１６進法）を２つのオクテット０×７ｄ  ０×５ｄ（１６進法）で置き換えることである。ステップ５０４においてまた、ＣＲＣは、各フレームに対して計算され、フレームの最後に（フレームの最後を合図するフラッグキャラクタの前に）挿入される。ステップ５０６において、パケットのタイプに基づいてフレームに対してデータを送信するために、利用できるサービスグレードのどちらのセットが使用されるべきかを、送信機は決定する。ＦＴＰ若しくはＴＣＰのような遅延に鈍感なアプリケーションを使用して送られようとしているＩＰパケットは、ステップ５０８において高信頼性ＲＬＰ（再送信及び再シーケンシングを伴う）を使用して送られる。ＩＰパケットでないが、遅延に鈍感である（ＩＰＣＰ若しくはＬＣＰパケットのような）いかなるパケットも、ステップ５０８において高信頼性ＲＬＰを使用して送信される。テレビ会議サービスで使用されるようなリアルタイムプロトコル（ＲＴＰ）パケットのような、遅延に敏感なタイプのパケットは、ステップ５１０において低待機時間ＲＬＰを使用して送信される。これまでに議論したように、低待機時間ＲＬＰは、通信エラーとして紛失したＲＬＰフレームを再送信しないし、再送信を要求しない。２つのサービスグレードは、図５のイグゼンプラリ実施例に示されているが、ここに説明された実施例の範囲から逸脱しないで、他のシステムが、２以上の異なるサービスグレードを利用できることをこの技術分野に知識のある者は、理解するであろう。例えば、ステップ５０６において、送信機は、中間レベルの信頼性を有するＲＬＰ接続を経由してあるタイプのパケットを送信することを、決めることができる。
【００３１】
図６は、異なるサービスグレードを有する複数のＲＬＰ接続を経由してパケットを受信するイグゼンプラリ方法のフローチャートである。あるイグゼンプラリ実施例では、受信装置の制御プロセッサ（図３の３０２及び図４の４０６）は、図６により特徴付けられる方法を利用する。ステップ６０２において、受信機は、１若しくはそれ以上のＲＬＰ接続を経由して受信された、受信ＲＬＰフレームを処理する。上記したようなあるイグゼンプラリ実施例では、ＲＬＰフレームは、２種類のＲＬＰ接続、低待機時間及び高信頼性、を経由して受信される。
【００３２】
前述のＩＳ−７０７で述べたように、高信頼性ＲＬＰ接続を経由して受信されたＲＬＰフレームは、受信機がフレームを再シーケンスするため及び紛失フレームの再送信を要求するために使用するシーケンス番号を有する。例えば、シーケンス番号“７”を有するＲＬＰフレームが、通信エラーのために紛失したならば、受信機は、そのフレームの再送信を要求するためにＮＡＫフレームを送信する。再送信されたフレームが受信された時、そのフレームに伝えられたデータは、ＨＤＬＣレイヤにいかなる後続のデータバイトを供給する前に、データバイトのストリームを完全にするために使用される。その結果、高信頼性ＲＬＰ接続のＲＬＰフレームから抽出されたデータバイトのストリームは、一般に送信機により送信されたものと比較して抜けがない。データ中の抜けを防止するコストは、待機時間により変化する。
【００３３】
対照的に、ＲＬＰフレームが低待機時間ＲＬＰリンクにおいて通信エラーのため紛失した場合、再送信は、要求されないし、送信されない。そのような紛失したＲＬＰフレームで伝えられたいかなるデータバイトも、受信機のＨＤＬＣレイヤに供給されたデータバイトのストリームから省略される。言い換えれば、低待機時間ＲＬＰリンクにおけるＲＬＰフレームの紛失は、送信機により送信されたものと比較して受信機のデータバイトのストリーム中に抜けを必ず生ずる。しかしながら、低待機時間ＲＬＰプロトコルは、一定でしかも小さな待機時間を有し、ＲＴＰパケットのように、遅延に敏感なタイプのパケットを送信するために高度に適するようにしている。
【００３４】
図２で述べられたあるイグゼンプラリ実施例では、データのＨＤＬＣフレーム全体を１個のＨＤＬＣプロトコルレイヤ（図２の２１２）に供給するために、複数のＲＬＰ接続（図２の１１６及び１１８）を経由して受信されたデフレーマ（図２の２１４及び２２０）を、受信機は使用する。図６において、このデフレーミングは、ステップ６０４において実行される。ステップ６０６において、ＨＤＬＣプロトコルレイヤ（図２の２１２）は、送信機によって挿入され、各ＨＤＬＣフレームのＣＲＣをチェックするＨＤＬＣエスケープシーケンスを削除する。ステップ６０６において、誤ったＣＲＣを持っているいかなるＨＤＬＣフレームも、受信機により静かに削除される。結果としてのＰＰＰフレームは、その後、ＨＤＬＣプロトコルレイヤによってＰＰＰレイヤに供給される。ステップ６０８において、ＰＰＰレイヤは、ＰＰＰヘッダ及び送信機により行われたいずれの他の変更を削除して、受信したパケットをデカプセル化する。ステップ６０８においてまた、送信機が受信したパケットのＩＰヘッダを圧縮したならば（例えば、ＶＪヘッダ圧縮を使用して）、その後、ＩＰヘッダは、当初のサイズ及び内容に伸張される。デカプセル化されたパケットは、その後、ステップ６１０において送られる。ここまでに述べられた実施例は、ＩＰパケットを主にカプセル化することを説明したが、ＰＰＰ及びＨＤＬＣは、ＩＰＸ若しくはＬＣＰのような他のプロトコルについてパケットを送信するためにも使用できる。
【００３５】
デフレーマ（図２の２１４及び２２０）を使用するあるイグゼンプラリ実施例では、ステップ６０２及び６０４は、ＲＡＮ（図４の４１２）中の制御プロセッサ（図４の４０６）により実行され、及び、ステップ６０６,６０８，及び６１０は、ＰＤＳＮ（図４の４１４）により実行される。図１に示されたもののような代わりの実施例では、ＰＤＳＮ（図４の４１４）は、１個のＭＳに複数のＨＤＬＣレイヤ（図１の１１２及び１１４）を割り当てる。この実施例では、受信機によりデフレーミングが実行されず、ステップ６０４は省略される。ステップ６０２において，各ＲＬＰレイヤ（図１の１１６及び１１８）は、受信したＲＬＰフレームから抽出したデータを、対応するＨＤＬＣレイヤ（それぞれ図１の１１２及び１１４）に直接供給する。
【００３６】
このように、ここで述べたものは、ワイアレスパケットデータサービス接続においてサービスレベルの複数の品質を提供する方法及び装置である。情報及び信号が、種々の異なる技術及び手法のいずれかを使用して表わされることを、本技術分野に知識のある者は、理解するであろう。例えば、上記の記述を通して示される、データ、指示、命令、情報、信号、ビット、シンボル、及びチップは、電圧、電流、電磁波、磁場若しくは磁力粒子、光場若しくは光粒子、若しくはこれらの任意の組み合わせによって表わすことができる。上記した実施例におけるＰＤＳＮは、説明した実施例の範囲から逸脱しないでインターワーキングファンクション（ＩＷＦ）で置き代えられることができることも、この技術分野に知識のある者は、理解するであろう。
【００３７】
各種の解説的な論理ブロック、モジュール、回路、及びここに開示された実施例に関連して記述されたアルゴリズムステップが、電子ハードウェア、コンピュータソフトウェア、若しくは両者の組み合わせとして実施できることを、知識のある者は、さらに価値を認めるであろう。ハードウェア及びソフトウェアのこの互換性をはっきりと説明するために、各種の解説的な構成要素、ブロック、モジュール、回路、及びステップは、一般的に機能性の面からここまでに記述されてきた。そのような機能性が、ハードウェア若しくはソフトウェアとして実行されるか否かは、個々のアプリケーション及びシステム全体に課せられた設計の制約に依存する。熟練した職人は、述べられた機能性を各個人のアプリケーションに対して違ったやり方で実施する。しかし、そのような実施の決定は、本発明の範囲から離れては説明されない。
【００３８】
ここに開示された実施例に関連して述べられた、各種の解説的な論理ブロック、モジュール、及び回路は、汎用プロセッサ、デジタルシグナルプロセッサ（ＤＳＰ）、アプリケーションスペシフィック集積回路（ＡＳＩＣ）、フィールドプログラマブルゲートアレイ（ＦＰＧＡ）若しくは他のプログラマブルロジックデバイス、ディスクリートゲート若しくはトランジスタロジック、ディスクリートハードウェア素子、若しくはここに記述した機能を実行するために設計されたこれらのいずれかの組み合わせを、実施若しくは実行できる。汎用プロセッサは、マイクロプロセッサでよく、しかし代わりとして、プロセッサは、いかなる従来のプロセッサ、コントローラ、マイクロコントローラ、若しくはステートマシン(state machine)であってもよい。プロセッサは、演算デバイスの組み合わせとして実施できる。例えば、ＤＳＰとマイクロプロセッサの組み合わせ、複数のマイクロプロセッサ、ＤＳＰコアと結合した１若しくはそれ以上のマイクロプロセッサ、若しくはそのようないかなる他の構成であってもよい。
【００３９】
ここに開示された実施例に関連して述べられた方法のステップ若しくはアルゴリズムは、ハードウェアにおいて、プロセッサにより実行されるソフトウェアモジュールにおいて、若しくは、両者の組み合わせにおいて直接実現できる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、脱着可能なディスク、ＣＤ−ＲＯＭ、若しくは、この分野で知られている他のいかなる記憶メディアの中に存在できる。あるイグゼンプラリ記憶メディアは、プロセッサが記憶メディアから情報を読み出し、そこに情報を書き込めるようなプロセッサと接続される。その代わりのものでは、記憶メディアは、プロセッサに集積できる。プロセッサ及び記憶メディアは、ＡＳＩＣ中に存在できる。ＡＳＩＣは、移動局中に存在できる。この代わりのものでは、プロセッサ及び記憶メディアは、移動局において単体の構成部品として存在できる。
【００４０】
開示された実施例のこれまでの説明は、本技術分野に知識のあるいかなる者でも、本発明を作成し、使用することを可能にする。これらの実施例の各種の変形は、本技術分野に知識のある者に、容易に実現されるであろう。そして、ここで定義された一般的な原理は、本発明の精神及び範囲から逸脱しないで、他の実施例にも適用できる。それゆえ、本発明は、ここに示された実施例に制限することを意図したものではなく、ここに開示した原理及び卓越した特性と整合する広い範囲に適用されるものである。
【図面の簡単な説明】
【００４１】
【図１】図１は、一イグゼンプラリ実施例にしたがったプロトコルレイヤの配置を示す。
【図２】図２は、これに代わる実施例にしたがったプロトコルレイヤの配置を示す。
【図３】図３は、イグゼンプラリ移動局（ＭＳ）装置の図である。
【図４】図４は、イグゼンプラリワイアレスネットワーク装置の図である。
【図５】図５は、異なるサービスグレードを有する複数のＲＬＰ接続を経由してパケットを送信するイグゼンプラリ方法のフローチャートである。
【図６】図６は、異なるサービスグレードを有する複数のＲＬＰ接続を経由してパケットを受信するイグゼンプラリ方法のフローチャートである。
【符号の説明】
【００４２】
３０８…アンテナ，
【図１】
2004531122.tif 000003
【図２】
2004531122.tif 000004
【図３】
2004531122.tif 000005
【図４】
2004531122.tif 000006
【図５】
2004531122.tif 000007
【図６】
2004531122.tif 000008
【国際公開パンフレット】
2004531122.tif 000009
2004531122.tif 000010
2004531122.tif 000011
2004531122.tif 000012
2004531122.tif 000013
2004531122.tif 000014
2004531122.tif 000015
2004531122.tif 000016
2004531122.tif 000017
2004531122.tif 000018
2004531122.tif 000019
2004531122.tif 000020
2004531122.tif 000021
2004531122.tif 000022
2004531122.tif 000023
2004531122.tif 000024
2004531122.tif 000025
2004531122.tif 000026
2004531122.tif 000027
2004531122.tif 000028
2004531122.tif 000029
2004531122.tif 000030
2004531122.tif 000031
2004531122.tif 000032
2004531122.tif 000033
2004531122.tif 000034
2004531122.tif 000035
2004531122.tif 000036
2004531122.tif 000037
2004531122.tif 000038
【国際調査報告】
2004531122.tif 000039
2004531122.tif 000040